(57)【要約】【課題】腰の腰部側面から背面を部分的に適度な衣服圧で圧迫することができ圧迫することができる腰ベルト及びこれを含む下衣を提供する。【解決手段】腰ベルト１は、連結部７において内側ベルト２と外側ベルト４及び内側ベルト３と外側ベルト５が連結され、連結部はカバー生地６の内側に固定され、内側ベルト２，３は、腰部側面が弾性材料部で腰の前面は非弾性材料部であり、いずれかの部分でカバー生地６の外側に引き出され、腰の前面で固定され、外側ベルト４，５は、腰の側面が弾性材料部で腰の前面は非弾性材料部であり、いずれかの部分でカバー生地６の外側に引き出され、カバー生地６の腰の前面の左右に設けられた支点８ａ，８ｂで外側に折り返され、腰部側面のカバー生地６の外側に固定され、内側ベルトと外側ベルトは腰部側面から背面は２重構造である。【選択図】図１
2018199882.tif 000002
【特許請求の範囲】
【請求項１】
骨盤の少なくとも一部を覆い、腰部の周方向に巻き付ける腰ベルトであって、
前記腰ベルトは、左右の内側ベルトと左右の外側ベルトとカバー生地と背面の連結部を含み、
前記連結部において、前記内側ベルトと前記外側ベルトが連結され、かつ前記連結部は前記カバー生地の内側に固定されており、
前記内側ベルトは、腰の側面が弾性材料部で腰の前面は非弾性材料部であり、いずれかの部分でカバー生地の外側に引き出され、腰の前面で固定され、
前記外側ベルトは、腰の側面が弾性材料部で腰の前面は非弾性材料部であり、いずれかの部分でカバー生地の外側に引き出され、カバー生地の腰の前面の左右に設けられた支点で外側に折り返され、腰の側面のカバー生地の外側に固定され、
前記内側ベルトと前記外側ベルトは腰の側面から背面は２重構造であることを特徴とする腰ベルト。
【請求項２】
前記外側ベルトの弾性材料部は内側ベルトの弾性材料部よりも短い請求項１に記載の腰ベルト。
【請求項３】
前記内側ベルト及び外側ベルトは共に背面が最も幅が広く、側部にかけて幅が狭くなっている請求項１または２に記載の腰ベルト。
【請求項４】
前記カバー生地の腰の前面の左右に設けられた支点はＤカンである請求項１〜３のいずれかに記載の腰ベルト。
【請求項５】
前記外側ベルトは張力を掛けて固定することで緊締力を高めることが可能で、全体として腰の側面から背面にかけて圧迫力が高く、腰の前面は腰の側面から背面に比べて相対的に圧迫力は弱い請求項１〜４のいずれかに記載の腰ベルト。
【請求項６】
前記内側ベルトの腰の前面の固定、及び前記外側ベルトのカバー生地の外側の固定は、いずれも面ファスナーによる固定である請求項１〜５のいずれかに記載の腰ベルト。
【請求項７】
請求項１〜６のいずれかに記載の腰ベルトを含む下衣であって、
前記カバー生地は下衣の生地であることを特徴とする下衣。
【請求項８】
前記下衣は、ズボン及びスカートから選ばれる少なくとも一つである請求項７に記載の下衣。
【発明の詳細な説明】
【技術分野】
【０００１】
本発明は腰ベルト及びこれを含む下衣に関する。さらに好適には、腰部に巻き付けて骨盤を安定させるベルト及びこれを含む下衣に関する。
【背景技術】
【０００２】
ゴルフ、テニス、山登り、ウォーキング等のスポーツにおいては、骨盤を安定化させるとともに運動機能を阻害しないベルトないしはサポーター及びこれを含むズボンが要求されている。従来、ベルトやサポーターは周方向に均一に圧迫を高めるものが提案されている。特許文献１には、幅広の背当部の上辺及び下辺における浮きを防止するサポーターが提案されている。特許文献２には、上下２列のベルトにより、腸骨、仙骨、股関節を周囲からサポートするサポーターが提案されている。特許文献３には、長スリットと短スリットを組み合わせた腰用サポーターが提案されている。本出願人は特許文献４において、下衣の骨盤の周囲部分に樹脂パターンを形成した下衣を提案し、特許文献５において、サポーター本体の内側に突起物を有する板状体を通過させる補助ベルトを設けたサポーターを提案している。
【先行技術文献】
【特許文献】
【０００３】
【特許文献１】再公表特許ＷＯ２０１６／００２８４３号公報
【特許文献２】特開２０１６−０６０９７８号公報
【特許文献３】特開２０１３−１３６８５４号公報
【特許文献４】特開２０１０−１３１３６３号公報
【特許文献５】特開２００４−２７７９３６号公報
【発明の概要】
【発明が解決しようとする課題】
【０００４】
しかし、前記従来の腰用サポーターは、いずれも周方向に均一に圧迫を高めるものであり、例えば腰の側面から背面を部分的に適度な衣服圧で圧迫することはできず、さらなる改良が求められていた。
【０００５】
本発明は、前記従来の問題を解決するため、腰の側面から背面を部分的に適度な衣服圧で圧迫することができる腰ベルト及びこれを含む下衣を提供する。
【課題を解決するための手段】
【０００６】
本発明の腰ベルトは、骨盤の少なくとも一部を覆い、腰部の周方向に巻き付ける腰ベルトであって、前記腰ベルトは、左右の内側ベルトと左右の外側ベルトとカバー生地と背面の連結部を含み、前記連結部において、前記内側ベルトと前記外側ベルトが連結され、かつ前記連結部は前記カバー生地の内側に固定されており、前記内側ベルトは、腰の側面が弾性材料部で腰の前面は非弾性材料部であり、いずれかの部分でカバー生地の外側に引き出され、腰の前面で固定され、前記外側ベルトは、腰の側面が弾性材料部で腰の前面は非弾性材料部であり、いずれかの部分でカバー生地の外側に引き出され、カバー生地の腰の前面の左右に設けられた支点で外側に折り返され、腰の側面のカバー生地の外側に固定され、前記内側ベルトと前記外側ベルトは腰の側面から背面は２重構造であることを特徴とする。
【０００７】
本発明の下衣は、前記の腰ベルトを含む下衣であって、前記カバー生地は下衣の生地であることを特徴とする。
【発明の効果】
【０００８】
本発明の腰ベルト及びこれを含む下衣は、左右の内側ベルトは腰の前面で固定される。また、左右の外側ベルトはカバー生地の腰の前面の左右に設けられた支点で外側に折り返され、腰の側面のカバー生地の外側に固定される。内側ベルトと外側ベルトはそれぞれ圧迫力が調整可能であり、腰部の側面から背面は、内側ベルトと外側ベルトの２重構造である。これにより、腰部の側面から背面を部分的に効率よく適度な衣服圧で圧迫することができる。加えて、本発明の腰ベルト及びこれを含む下衣は、運動機能を妨げない。
【図面の簡単な説明】
【０００９】
【図１】図１は本発明の一実施態様の腰ベルトの正面図である。
【図２】図２は同、背面図である。
【図３】図３は同、要部の説明図である。
【図４】図４は本発明の一実施態様のズボンの正面図である。
【図５】図５は同、背面図である。
【図６】図６は同、正面から見た要部の説明図である。
【図７】図７は同、要部の正面図である。
【図８】図８は同、要部の背面図である。
【図９】図９は本発明の一実施例と比較例の各部分における衣服圧を示すグラフである。
【発明を実施するための形態】
【００１０】
本発明は、骨盤の少なくとも一部を覆い、腰部の周方向に巻き付ける腰ベルトであり、左右の内側ベルトと左右の外側ベルトとカバー生地を含み、左右の内側ベルトと左右の外側ベルトは背面の連結部で連結され、かつ連結部は前記カバー生地の内側に固定されている。左右の内側ベルトは、腰の側面が弾性材料部で腰の前面は非弾性材料部であり、いずれかの部分でカバー生地の外側に引き出され、腰の前面で固定される。左右の外側ベルトは、腰の側面が弾性材料部で腰の前面は非弾性材料部であり、いずれかの部分でカバー生地の外側に引き出され、カバー生地の腰の前面の左右に設けられた支点で外側に折り返され、腰の側面のカバー生地の外側に固定される。左右の内側ベルトと左右の外側ベルトは腰の側面から背面は２重構造である。これにより、腰の側面から背面を部分的に効率よく適度な衣服圧で圧迫することができる。なお、腰ベルトはサポーターと同義である。
【００１１】
外側ベルトの弾性材料部は内側ベルトの弾性材料部よりも短いのが好ましい。これにより、腰の側面から背面を効果的に圧迫できる。腰の前面は内側ベルトのみで締めるので、腹部前部に対する圧迫力は弱く、食事後腹部が膨れても苦しくならない。
【００１２】
内側ベルト及び外側ベルトは共に背面が最も幅が広く、側部にかけて幅が狭くなっているのが好ましい。これにより、腰の側面から背面を効果的に圧迫できる。
【００１３】
カバー生地の腰の前面の左右に設けられた支点はＤカンであるのが好ましい。Ｄカンは外側ベルトを折り返すのに便利である。外側ベルトは張力を掛けて固定することで緊締力を高めることが可能であり、全体として腰の側面から背面にかけて圧迫力が高く、腰の前面は側面から背面に比べて相対的に圧迫力は弱いのが好ましい。これにより、腰の側面から背面を部分的に適度な圧力で圧迫できる。
【００１４】
前記左右の内側ベルトの腰部の前面での固定、及び前記左右の外側ベルトとカバー生地の外側の固定は、いずれも面ファスナーによる固定であるのが好ましい。面ファスナーは固定操作が容易で便利である。
【００１５】
本発明の下衣は、前記の腰ベルトを組み込んだ下衣である。すなわち、カバー生地を下衣の生地とする。この下衣は、ズボン及びスカートから選ばれる少なくとも一つであるのが好ましい。
【００１６】
内側ベルトの弾性材料部は、荷重１４．７Ｎで伸長率は５〜８０％が好ましい。また、外側ベルトの弾性材料部は、荷重１４．７Ｎで伸長率は５〜６０％が好ましい。前記伸長率であればサポーター機能として十分である。このような弾性材料は、ポリウレタン等の弾性糸を含む織物又は編物、前記弾性糸を芯としポリエステル糸やナイロン糸を被覆糸としたカバーリング糸を含む織物又は編物等がある。内側ベルト及び外側ベルトの非弾性材料部は、通常のベルトに使われている非弾性材料であればどのようなものでもよい。例えば繊維糸織物、皮革、合成皮革、樹脂等である。
【００１７】
腰ベルトの１個当たりの質量が２０〜２００ｇであるのが好ましく、さらに好ましくは２０〜１００ｇである。前記の範囲であれば、軽く、着用者の負担も少なく、運動機能性の高い腰ベルトとなる。
【００１８】
本発明は、腰部の周方向に巻き付けるベルト又はサポーターとして機能する。ベルトは骨盤の一部、または全部を覆い、ベルトは２重構造（内側ベルト、外側ベルト）で腰の背面で連結されている。連結部は非伸縮（非弾性）材料が好ましい。固定点は３か所あり、背面に１か所、腰の前面に２か所あるのが好ましい。内側ベルトは両端が非伸縮（非弾性）材料で、腰の前面で固定するのが好ましい。ここで前面とは、左右の上前腸骨棘の間を意味する。内側ベルトの両端以外は伸縮性材料とするのが好ましい。内側ベルトには左右それぞれ１か所の挿通口（Ｄカン）が設けられ、外側ベルトは挿通口を通して折り返して固定するのが好ましい。挿通口は矢上面前側を０度として±９０度以内に配置、±４５度以内がさらに好ましい。外側ベルトも両端以外は伸縮性材料であるのが好ましい。内側ベルト・外側ベルトは共に背面が最も幅が広く、側部に掛けて幅が狭くなるのが好ましい。外側ベルトは張力を掛けて固定することで緊締力を高め、上前腸骨棘から背面に掛けて圧迫力を高めることができる。脊柱起立筋と中殿筋への圧迫力を高めるもできる。内側ベルト・外側ベルトの前額面背面側には、厚みを持たせて圧迫力を高めても良い。内側ベルトはズボンの一部としても良い。内側ベルトは通常のベルト付きズボンとして機能するからである。
【００１９】
以下図面を用いて説明する。以下の図面において同一符号は同一物を示す。図１は本発明の一実施態様の腰ベルトの正面図、図２は同背面図、図３は同要部の説明図である。この腰ベルト１は、左右の内側ベルト２，３と左右の外側ベルト４，５とカバー生地６を含む。連結部７において、内側ベルト２と外側ベルト４が、また、内側ベルト３と外側ベルト５がそれぞれ連結され、かつ連結部７はカバー生地６の内側に縫製により固定されている。連結部７は非伸縮性生地である。
【００２０】
図３に示すように、内側ベルト２，３は、腰の腰部側面に位置する部分が弾性材料部２ａ，２ｂ，３ａ，３ｂで、腰の前面に位置する部分は非弾性材料部２ｃ，３ｃである。図１に示すように、内側ベルト２，３は、引き出し部６ａ，６ｂからカバー生地６の外側に引き出され、腰の前面に位置する部分で固定される。固定方法は、一例として内側ベルト２，３に縫い付けた面ファスナーを使用することが好ましい。
【００２１】
図３に示すように、外側ベルト４，５は、腰の側面に位置する部分が弾性材料部４ａ，４ｂ，５ａ，５ｂで、腰の前面に位置する部分は非弾性材料部４ｃ，５ｃである。図１に示すように、外側ベルト４，５は、引き出し部６ａ，６ｂからカバー生地６の外側に引き出され、カバー生地６の腰部前面の左右に設けられた支点（Ｄカン）８ａ，８ｂで外側に折り返され、腰の側面のカバー生地６の外側に縫い付けた面ファスナー６ｃ，６ｄに固定される。内側ベルト２，３と内側ベルト２，３は矢印のように前に向けられ、図１〜２に示すようにカバー生地６と縫製される。
【００２２】
図１〜３に示すように、内側ベルト２，３と外側ベルト４，５は腰の側面から背面は２重構造であり、腰の前面は内側ベルト２，３の一重構造である。９はカバー生地６の腰部前面を止めるボタン又はホックである。
【００２３】
図４は本発明の一実施態様のズボンの正面図、図５は同背面図、図６は同正面から見た要部の説明図、図７は同要部の正面図、図８は同要部の背面図である。このズボン１０は、図１〜２に示すカバー生地６をズボンの身生地１１とした以外は同様である。
【実施例】
【００２４】
以下実施例を用いてさらに具体的に説明する。なお、本発明は下記の実施例に限定して解釈されるものではない。
【００２５】
（実施例１）
（１）内側ベルト
弾性材料部には、ナイロンマルチフィラメント糸と熱融着性ポリウレタン（日清紡・モビロン）を使用したフリーカット機能を持つストレッチテープを使用、単位面積当たりの質量（目付け）は３６０ｇ／ｍ2  であり、背面の幅は１０ｃｍで側部にかけて４ｃｍ幅に狭くなり、長さは２７ｃｍであった。荷重１４．７Ｎの伸長率は２９％であった。
（２）外側ベルト
弾性材料部には、ナイロンマルチフィラメント糸と熱融着性ポリウレタン（日清紡・モビロン）を使用したフリーカット機能を持つストレッチテープを使用、目付けは３６０ｇ／ｍ2  で、背面は１０ｃｍで側部にかけて４ｃｍ幅に狭くなり、長さは１８ｃｍであった。荷重１４．７Ｎの伸長率は２９％であった。
（３）連結部、非弾性材料部
連結部と非弾性材料部には、ナイロンマルチフィラメント糸を使用した織物を使用、糸使いは、経糸はナイロンマルチフィラメント糸（単繊維繊度：１．１８decitex, 総繊度：２０decitex,構成本数 １７本,生糸）、緯糸は、ナイロンマルチフィラメント糸（単繊維繊度：１．１８decitex, 総繊度：２０decitex,構成本数 １７本,生糸）とナイロンマルチフィラメント糸（単繊維繊度：１．１８decitex, 総繊度：４０decitex,構成本数 ３４本,生糸）であり、目付は５５ｇ／ｍ2である。荷重１４．７Ｎの伸長率は３％であった。
【００２６】
（比較例１）
比較例１として、市販のミズノ社製、商品名“腰部骨盤ベルト  ノーマルタイプ（補助ベルト付）”ベルトを用い、一重締めと二重締めで衣服圧のデータを取った（図９）。
【００２７】
実施例１の腰ベルトと、比較例１の市販品ベルトを装着し、腹、腰側部前、腰側部後、背中の衣服圧を測定したところ、図９のようになり、実施例１の腰ベルトは腰側部後から背中にかけて部分的に効率よく適度な衣服圧で圧迫することができた。加えて、本発明の腰ベルト及びこれを含む下衣は、運動機能を妨げないことも確認できた。
【産業上の利用可能性】
【００２８】
本発明の腰ベルト及びこれを含む下衣は、ゴルフ、テニス、山登り、ウォーキング等のスポーツ用として好適であるほか、腰痛用としても好適である。
【符号の説明】
【００２９】
１  腰ベルト
２，３  内側ベルト
４，５  外側ベルト
６  カバー生地
２ａ，２ｂ，３ａ，３ｂ  内側ベルトの弾性材料部
２ｃ，３ｃ  内側ベルトの非弾性材料部
４ａ，４ｂ，５ａ，５ｂ  外側ベルトの弾性材料部
４ｃ，５ｃ  外側ベルトの非弾性材料部
６ａ，６ｂ  引き出し部
７  連結部
８ａ，８ｂ  支点（Ｄカン）
９  ボタン又はホック
１０  ズボン
１１  ズボンの身生地
【図１】
2018199882.tif 000003
【図２】
2018199882.tif 000004
【図３】
2018199882.tif 000005
【図４】
2018199882.tif 000006
【図５】
2018199882.tif 000007
【図６】
2018199882.tif 000008
【図７】
2018199882.tif 000009
【図８】
2018199882.tif 000010
【図９】
2018199882.tif 000011